【手続補正書】
【提出日】平成20年9月12日(2008.9.12)
【手続補正１】
【補正対象書類名】明細書
【補正対象項目名】００６９
【補正方法】変更
【補正の内容】
【００６９】
また、コントロール部１０５３は、非同期受信回路１１８４−０８（図１２の非同期型受信回路１０７４と同様の構成とされる）に基準電位ＶＲ１，ＶＲ２を供給する。この基準電位ＶＲ１，ＶＲ２は、実験等により予め定められた値である。
【手続補正２】
【補正対象書類名】明細書
【補正対象項目名】００９１
【補正方法】変更
【補正の内容】
【００９１】
つまり、図２６に示されるように、受信側の通信チップ１０１５に配置される、ある通信モジュール１０５２のコイルアンテナ１０７７Ｒは、送信側の通信チップ１０１５に配置される、その通信モジュール１０５２（コイルアンテナ１０７７Ｒ）に対応する通信モジュール１０５２のコイルアンテナ１０７７Ｔ１からの信号だけでなく、コイルアンテナ１０７７Ｔ１の周辺に配置される通信モジュール１０５２のコイルアンテナ１０７７Ｔ２やコイルアンテナ１０７７Ｔ３からの不要な信号も受信してしまう。
【手続補正３】
【補正対象書類名】明細書
【補正対象項目名】０１１１
【補正方法】変更
【補正の内容】
【０１１１】
図１４の通信チップ１０１５は、２つの非同期通信を行う通信モジュールと１３個の同期通信を行う通信モジュールを有するが、このうちの２つの非同期通信を行う通信モジュール１０５２（通信モジュール１０５２−０８および通信モジュール１０５２−１５）の動作を中心にキャリブレーション動作の例について以下に説明する。
【手続補正４】
【補正対象書類名】明細書
【補正対象項目名】０１１９
【補正方法】変更
【補正の内容】
【０１１９】
通信チップ１０１５DRにおいて、コントロール部１０５３DRは、レジスタを含むコントローラとDC電圧発生回路を備えたモジュールであり、受信モジュールRXB０８およびRXB１５に対して基準電位VR１およびVR２を供給する。受信モジュールRXB０８は、その基準電位VR１およびVR２を用いて、通信チップ１０１５UTの送信モジュールTXT０８より供給された信号を、アンテナ１０７７DR−０８を介して取得し、それを信号RB０８として、コントロール部１０５３DRおよびコントロール部１５０１に供給する。同様に、受信モジュールRXB１５は、コントロール部１０５３DRより供給される基準電位VR１およびVR２を用いて、通信チップ１０１５UTの送信モジュールTXT１５より供給された信号を、アンテナ１０７７DR−１５を介して取得し、それを信号RB１５として、コントロール部１０５３DRおよびコントロール部１５０１に供給する。
【手続補正５】
【補正対象書類名】明細書
【補正対象項目名】０１２１
【補正方法】変更
【補正の内容】
【０１２１】
図２９において、送信モジュールTXB０８、送信モジュールTXT０８、送信モジュールTXB１５、および送信モジュールTXT１５は、図８に示される通信モジュール１０５２のように、クロック信号に非同期に信号を送信するように構成され、受信モジュールRXT０８、受信モジュールRXB０８、受信モジュールRXT１５、および受信モジュールRXB１５は、図３０に示されるように構成される。
【手続補正６】
【補正対象書類名】明細書
【補正対象項目名】０１２５
【補正方法】変更
【補正の内容】
【０１２５】
なお、以上においては、通信モジュール１０５２−１５について説明したが、通信モジュール１０５２−０８（受信モジュールRXT０８および受信モジュールRXB０８）の詳細な構成も、図３０の受信側の通信モジュール１０５２−１５の場合と同様であるのでその説明は省略する。
【手続補正７】
【補正対象書類名】明細書
【補正対象項目名】０１３２
【補正方法】変更
【補正の内容】
【０１３２】
フォーリングキャリブレーション（Ｎ）開始コマンドが入力されると、図３６に示されるノイズ期間Ｔ３において、送信側の通信チップ１０１５DTの、送信モジュールTXB０８および送信モジュールTXB１５以外の送信モジュール（図１４において位置０１乃至位置０７、並びに、位置０９乃至位置１４に設けられる通信モジュール１０５２）である送信モジュールTXB０１乃至送信モジュールTXB０７、並びに、送信モジュールTXB０９乃至送信モジュールTXB１４の全てまたは一部が、ステップＳ６において、図３６Ｃに示されるように、受信モジュールRXT０８にとってノイズ成分となる隣接干渉総量Ｓｎが最大となるように、通信信号と同相のノイズとしての信号を送信する。図３６Ｃにおいては、ノイズ信号としてＨパルス信号が送信されているが、ノイズ信号はどのような信号であってもよい。
【手続補正８】
【補正対象書類名】明細書
【補正対象項目名】０１４２
【補正方法】変更
【補正の内容】
【０１４２】
ライジングキャリブレーション（Ｎ）開始コマンドが入力されると、図３６に示されるノイズ期間Ｔ１２において、送信モジュールTXB０１乃至送信モジュールTXB０７、並びに、送信モジュールTXB０９乃至送信モジュールTXB１４の全てまたは一部が、ステップＳ２３において、図３６Ｃに示されるように、受信モジュールRXT０８にとってノイズ成分となる隣接干渉総量Ｓｎが最大となるように、通信信号と同相のノイズとしての信号を送信する。図３６Ｃにおいては、ノイズ信号としてＨパルス信号が送信されているが、ノイズ信号はどのような信号であってもよい。
【手続補正９】
【補正対象書類名】明細書
【補正対象項目名】０１４７
【補正方法】変更
【補正の内容】
【０１４７】
ステップＳ２６において、コントロール部１５０１は、このように信号RB０８を受信したか否かを判定し、信号RB０８を受信した（検出した）と判定した場合、処理をステップＳ２７に進める。ステップＳ２７において、コントロール部１０５３URは、コントロール部１５０１の判定結果に基づいて、受信モジュールRXT０８の閾値SRthを大きくする（受信感度を下げる）ように、信号のライジングエッジでの通信感度を調整するVR１の値を１ステップ分（予め定められた所定の変動幅分）大きくする。ステップＳ２７の処理が終了すると、コントロール部１５０１は、処理をステップＳ２２に戻し、それ以降の処理を繰り返す。
【手続補正１０】
【補正対象書類名】明細書
【補正対象項目名】０１５９
【補正方法】変更
【補正の内容】
【０１５９】
ステップＳ４８において、コントロール部１５０１は、このように信号RB０８を受信したか否かを判定し、信号RB０８を受信しなかった（検出できなかった）と判定した場合は処理をステップＳ４９に進める。ステップＳ４９において、コントロール部１０５３URは、コントロール部１５０１の判定結果に基づいて、ノイズ信号の場合とは逆に、受信モジュールRXT０８の閾値SRthを小さくする（受信感度を上げる）ように、信号のフォーリングエッジでの受信感度を調整するVR２の値を１ステップ分（予め定められた所定の変動幅分）小さくする。ステップＳ４９の処理が終了すると、コントロール部１５０１は、処理をステップＳ４４に戻し、それ以降の処理を繰り返す。
【手続補正１１】
【補正対象書類名】明細書
【補正対象項目名】０１６６
【補正方法】変更
【補正の内容】
【０１６６】
ライジングキャリブレーション（Ｓ）開始コマンドが入力されると、図３６に示されるノイズ期間に相当する通信信号送信期間に、送信モジュールTXB０８が、ステップＳ６５の処理として、信号量Ｓの通信信号を送信する。この通信信号はどのような信号であってもよい。
【手続補正１２】
【補正対象書類名】明細書
【補正対象項目名】０１７１
【補正方法】変更
【補正の内容】
【０１７１】
ステップＳ６８において、コントロール部１５０１は、このように信号RB０８を受信したか否かを判定し、信号RB０８を受信しなかった（検出できなかった）と判定した場合は処理をステップＳ６９に進める。ステップＳ６９において、コントロール部１０５３URは、コントロール部１５０１の判定結果に基づいて、ノイズ信号の場合とは逆に、受信モジュールRXT０８の閾値SRthを小さくする（受信感度を上げる）ように、信号のライジングエッジでの受信感度を調整するVR１の値を１ステップ分（予め定められた所定の変動幅分）小さくする。ステップＳ６９の処理が終了すると、コントロール部１５０１は、処理をステップＳ６４に戻し、それ以降の処理を繰り返す。
【手続補正１３】
【補正対象書類名】明細書
【補正対象項目名】０１７３
【補正方法】変更
【補正の内容】
【０１７３】
ステップＳ６８において、信号RB０８を受信したと判定した場合、コントロール部１５０１は、処理をステップＳ７０に進める。ステップＳ７０において、コントロール部１０５３URは、受信モジュールRXT０８の現在のVR１の値を、受信モジュールRXT０８のVR１（Ｓ）として記憶する。ステップＳ７０の処理が終了すると、コントロール部１５０１は、処理をステップＳ７１に進める。
【手続補正１４】
【補正対象書類名】図面
【補正対象項目名】図２
【補正方法】変更
【補正の内容】
【図２】
2007129412.tif 000001
【手続補正１５】
【補正対象書類名】図面
【補正対象項目名】図５
【補正方法】変更
【補正の内容】
【図５】
2007129412.tif 000002
【手続補正１６】
【補正対象書類名】図面
【補正対象項目名】図３３
【補正方法】変更
【補正の内容】
【図３３】
2007129412.tif 000003
【手続補正１７】
【補正対象書類名】図面
【補正対象項目名】図３４
【補正方法】変更
【補正の内容】
【図３４】
2007129412.tif 000004